(57)【要約】【課題】承認者の移動負担を軽減すると共に、承認者による承認操作がリアルタイムでなされるようにする。【解決手段】画像処理装置４は、ユーザーの指示操作に基づいて原稿を読み取って画像データを送信するジョブを設定した後、ユーザーのジョブ実行指示に基づいて原稿の画像を読み取って画像データを生成し、その画像データを一時的に保存する。画像処理装置４は、画像データを保存することに伴い、端末装置５に対してアプリケーションの起動コマンドを送信する。端末装置５は、起動コマンドに基づいて画像処理装置４と連携するアプリケーションを起動させ、画像処理装置４から送信されるジョブ確認画面をリアルタイムで表示する。このような構成によれば、承認者による承認操作をリアルタイムで開始させることができる。【選択図】図１
2016127559.tif 000002
【特許請求の範囲】
【請求項１】
画像処理装置と、前記画像処理装置と連携するアプリケーションがインストールされた端末装置とを備える画像送信システムであって、
前記画像処理装置は、
ユーザーが各種操作を行うための操作画面を表示する表示手段と、
ユーザーによる操作入力を受け付ける操作入力手段と、
前記操作入力手段によって受け付けられるユーザーの操作入力に基づき原稿を読み取って画像データを送信するジョブの設定を行う設定手段と、
前記設定手段による設定を反映させて原稿の画像を読み取り、画像データを生成する画像読取手段と、
前記画像読取手段によって生成される画像データを一時的に記憶する画像記憶手段と、
前記画像記憶手段に画像データが記憶されることに伴い、前記端末装置に対して前記アプリケーションの起動コマンドを送信する起動コマンド送信手段と、
前記起動コマンドの送信後、前記ジョブの設定を確認するためのジョブ確認画面を生成して前記端末装置に送信する画面送信手段と、
前記端末装置から操作情報を受信する操作情報受信手段と、
前記操作情報受信手段によって受信された操作情報を判定する操作情報判定手段と、
を備え、
前記端末装置は、
前記起動コマンドを受信することに伴い、前記アプリケーションを起動するアプリケーション起動手段と、
前記アプリケーションが前記ジョブ確認画面を受信することに伴い、当該ジョブ確認画面を前記端末装置に表示させる表示制御手段と、
前記ジョブ確認画面に対する操作入力を受け付けて操作情報を生成する操作情報生成手段と、
前記操作情報生成手段によって生成される操作情報を前記画像処理装置へ送信する操作情報送信手段と、
を備え、
前記画像処理装置は、前記操作情報判定手段によって前記端末装置から受信した操作情報が前記画像記憶手段に記憶された画像データの送信を承認する操作情報であると判定された場合に前記画像記憶手段に記憶された画像データを読み出して送信することを特徴とする画像送信システム。
【請求項２】
前記ジョブ確認画面には、前記設定手段により設定された画像データの送信先に関する情報が含まれており、
前記設定手段は、前記操作情報判定手段によって前記端末装置から受信した操作情報が画像データの送信先を変更する操作情報であると判定された場合、当該操作情報に基づいて画像データの送信先を変更することを特徴とする請求項１に記載の画像送信システム。
【請求項３】
前記設定手段は、前記端末装置から受信した操作情報に画像データの送信先に関する宛先情報が含まれる場合、当該宛先情報に基づいて画像データの送信先を変更することを特徴とする請求項２に記載の画像送信システム。
【請求項４】
前記画像処理装置は、前記画像記憶手段に記憶された画像データを編集する画像編集手段を更に備え、
前記ジョブ確認画面には、前記画像記憶手段に記憶された画像データのプレビュー画像が含まれており、
前記画像編集手段は、前記操作情報判定手段によって前記端末装置から受信した操作情報が前記プレビュー画像に対する編集を指示する操作情報であると判定された場合、当該操作情報に基づいて前記画像記憶手段に記憶された画像データを編集することを特徴とする請求項１乃至３のいずれかに記載の画像送信システム。
【請求項５】
前記画面送信手段は、前記画像編集手段によって前記画像記憶手段に記憶された画像データの編集が行われた場合、当該編集後の画像データに基づくプレビュー画像を含む前記ジョブ確認画面を生成して前記端末装置に送信することを特徴とする請求項４に記載の画像送信システム。
【請求項６】
前記画像処理装置は、スタンプ画像を記憶する記憶手段を更に備えており、
前記画像編集手段は、前記操作情報判定手段によって前記端末装置から受信した操作情報が前記スタンプ画像の付加を指示する操作情報であると判定された場合、前記画像記憶手段に記憶された画像データに対して前記スタンプ画像を付加することを特徴とする請求項４又は５に記載の画像送信システム。
【請求項７】
前記画像編集手段は、操作情報と共に前記端末装置から受信する画像データを、前記画像記憶手段に記憶された画像データに追加することを特徴とする請求項４乃至６のいずれかに記載の画像送信システム。
【請求項８】
前記画像編集手段は、前記操作情報判定手段によって前記端末装置から受信した操作情報が前記プレビュー画像の削除を指示する操作情報であると判定された場合、当該操作情報に基づいて前記画像記憶手段に記憶された画像データを削除することを特徴とする請求項４乃至７のいずれかに記載の画像送信システム。
【請求項９】
前記操作情報判定手段は、予め設定された承認用のパスワードを管理し、前記操作情報判定手段によって前記端末装置から受信した操作情報に前記パスワードに一致する情報が含まれる場合、前記画像記憶手段に記憶された画像データの送信を承認する操作情報であると判定することを特徴とする請求項１乃至８のいずれかに記載の画像送信システム。
【請求項１０】
前記画像処理装置は、ユーザーを認証する認証手段を更に備え、
前記操作情報判定手段は、前記端末装置から受信した操作情報に基づいて前記認証手段により特定のユーザーが認証された場合、当該操作情報が前記画像記憶手段に記憶された画像データの送信を承認する操作情報であると判定することを特徴とする請求項１乃至８のいずれかに記載の画像送信システム。
【請求項１１】
前記画面送信手段は、前記端末装置へ送信する前記ジョブ確認画面を前記表示手段へ出力することにより、前記ジョブ確認画面を前記端末装置と前記表示手段の双方に表示させることを特徴とする請求項１乃至１０のいずれかに記載の画像送信システム。
【請求項１２】
前記起動コマンド送信手段は、予め登録された前記端末装置に対して前記起動コマンドを送信することを特徴とする請求項１乃至１１のいずれかに記載の画像送信システム。
【請求項１３】
前記起動コマンド送信手段は、既に通信状態が確立されている前記端末装置に対して前記起動コマンドを送信することを特徴とする請求項１乃至１１のいずれかに記載の画像送信システム。
【請求項１４】
前記起動コマンド送信手段は、ユーザーによって指定された前記端末装置に対して前記起動コマンドを送信することを特徴とする請求項１乃至１１のいずれかに記載の画像送信システム。
【請求項１５】
原稿を読み取って画像データを送信するジョブを実行する画像処理装置であって、
ユーザーが各種操作を行うための操作画面を表示する表示手段と、
ユーザーによる操作入力を受け付ける操作入力手段と、
前記操作入力手段によって受け付けられるユーザーの操作入力に基づき、前記ジョブの設定を行う設定手段と、
前記設定手段による設定を反映させて原稿の画像を読み取り、画像データを生成する画像読取手段と、
前記画像読取手段によって生成される画像データを一時的に記憶する画像記憶手段と、
前記画像記憶手段に画像データが記憶されることに伴い、端末装置との通信を開始して前記端末装置にインストールされているアプリケーションの起動コマンドを送信する起動コマンド送信手段と、
前記起動コマンドにより前記アプリケーションが前記端末装置において起動された後、前記ジョブの設定を確認するためのジョブ確認画面を生成して前記端末装置に送信し、当該ジョブ確認画面を前記アプリケーションによって前記端末装置に表示させる画面送信手段と、
前記ジョブ確認画面に対する操作情報を前記端末装置から受信する操作情報受信手段と、
前記操作情報受信手段によって受信された操作情報を判定する操作情報判定手段と、
前記操作情報判定手段によって前記端末装置から受信した操作情報が前記画像記憶手段に記憶された画像データの送信を承認する操作情報であると判定された場合に前記画像記憶手段に記憶された画像データを読み出して送信する画像送信手段と、
を備えることを特徴とする画像処理装置。
【請求項１６】
前記ジョブ確認画面には、前記設定手段により設定された画像データの送信先に関する情報が含まれており、
前記設定手段は、前記操作情報判定手段によって前記端末装置から受信した操作情報が画像データの送信先を変更する情報であると判定された場合、当該操作情報に基づいて画像データの送信先を変更することを特徴とする請求項１５に記載の画像処理装置。
【請求項１７】
前記設定手段は、前記端末装置から受信した操作情報に画像データの送信先に関する宛先情報が含まれる場合、当該宛先情報に基づいて画像データの送信先を変更することを特徴とする請求項１６に記載の画像処理装置。
【請求項１８】
前記画像記憶手段に記憶された画像データを編集する画像編集手段を更に備え、
前記ジョブ確認画面には、前記画像記憶手段に記憶された画像データのプレビュー画像が含まれており、
前記画像編集手段は、前記操作情報判定手段によって前記端末装置から受信した操作情報が前記プレビュー画像に対する編集を指示する操作情報であると判定された場合、当該操作情報に基づいて前記画像記憶手段に記憶された画像データを編集することを特徴とする請求項１５乃至１７のいずれかに記載の画像処理装置。
【請求項１９】
前記操作情報判定手段は、予め設定された承認用のパスワードを管理し、前記操作情報判定手段によって前記端末装置から受信した操作情報に前記パスワードに一致する情報が含まれる場合、前記画像記憶手段に記憶された画像データの送信を承認する操作情報であると判定することを特徴とする請求項１５乃至１８のいずれかに記載の画像処理装置。
【請求項２０】
前記画像処理装置は、ユーザーを認証する認証手段を更に備え、
前記操作情報判定手段は、前記端末装置から受信した操作情報に基づいて前記認証手段により特定のユーザーが認証された場合、当該操作情報が前記画像記憶手段に記憶された画像データの送信を承認する操作情報であると判定することを特徴とする請求項１５乃至１８のいずれかに記載の画像処理装置。
【請求項２１】
画像処理装置と連携するアプリケーションがインストールされた端末装置であって、
各種情報を表示する表示手段と、
前記表示手段に対するユーザーの操作を受け付ける操作入力手段と、
前記画像処理装置から前記アプリケーションの起動コマンドを受信することに伴い、前記アプリケーションを起動するアプリケーション起動手段と、
前記アプリケーションが前記画像処理装置から画像データを送信するジョブの設定を確認するためのジョブ確認画面を受信することに伴い、当該ジョブ確認画面を前記表示手段に表示させる表示制御手段と、
前記ジョブ確認画面が前記表示手段に表示されている状態において前記操作入力手段によりユーザーの操作を受け付けられることに伴い、当該操作に基づく操作情報を生成する操作情報生成手段と、
前記操作情報生成手段によって生成される操作情報を前記画像処理装置へ送信する操作情報送信手段と、
を備え、
前記操作情報生成手段は、前記操作入力手段によって受け付けられたユーザーの操作が画像データの送信を承認する操作である場合に、前記画像処理装置に対して画像データの送信を承認する操作情報を生成することを特徴とする端末装置。
【請求項２２】
宛先情報を記憶する記憶手段を更に備え、
前記ジョブ確認画面には、前記設定手段により設定された画像データの送信先に関する情報が含まれており、
前記操作情報生成手段は、前記操作入力手段によって受け付けられたユーザーの操作が前記ジョブ確認画面における画像データの送信先を変更する操作である場合、前記画像処理装置に対して画像データの送信先の変更を指示する操作情報を生成すると共に、当該操作情報に対して前記記憶手段に記憶されている前記宛先情報を付加することを特徴とする請求項２１に記載の端末装置。
【請求項２３】
画像データを記憶する記憶手段を更に備え、
前記ジョブ確認画面には、前記画像処理装置によって生成された画像データのプレビュー画像が含まれており、
前記操作情報生成手段は、前記操作入力手段によって受け付けられたユーザーの操作が前記ジョブ確認画面におけるプレビュー画像を編集する操作である場合、前記画像処理装置に対して画像データの編集を指示する操作情報を生成すると共に、当該操作情報に対して前記記憶手段に記憶されている前記画像データを付加することを特徴とする請求項２１に記載の端末装置。
【発明の詳細な説明】
【技術分野】
【０００１】
本発明は、画像送信システム、画像処理装置及び端末装置に関し、特にＦＡＸなどで画像データを送信する際に承認者による承認を受けてから画像データを送信する技術に関する。
【背景技術】
【０００２】
銀行業務などの特定の業務では、ＭＦＰ（Multifunction Peripherals）などの画像処理装置を用いてＦＡＸなどで外部に画像データを送信する際、複数のユーザーがジョブの内容を確認したうえで送信処理を行うことにより、誤送信を未然に防止している。従来、この種の業務に対応する機能として、画像処理装置は、送信者によるジョブの設定に基づいて原稿を読み取り送信対象となる画像データを生成すると、その画像データを一時的に保存しておき、画像データの送信を承認する承認者に電子メールを送信することによって承認者にジョブの確認を要請し、承認者による承認操作がなされてから画像データを送信する機能を備えている（例えば特許文献１，２）。
【先行技術文献】
【特許文献】
【０００３】
【特許文献１】特開２００７−７４３８９号公報
【特許文献２】特開２０１０−１０９８２３号公報
【発明の概要】
【発明が解決しようとする課題】
【０００４】
しかしながら、承認者に電子メールを送信することによって承認依頼を行う方法では、承認者が電子メールを受信したことに気付かないこともあり、緊急性を要するような場合でも承認者による承認操作がなされずに、いつまで経っても画像データが送信されないという問題がある。
【０００５】
また承認者に電子メールを送信する方法以外に、承認者を画像処理装置の設置場所まで連れてきて操作パネルに表示される画面でジョブの内容を確認してもらう方法も考えられる。しかし、この方法では、送信者が画像データの送信作業を行う度に、承認者が画像処理装置の設置場所まで移動して確認しなければならず、承認者の負担が大きいという問題がある。
【０００６】
本発明は、上記課題を解決することを目的としてなされたものであり、承認者の移動負担を軽減すると共に、承認者による承認操作がリアルタイムでなされるようにした画像送信システム、画像処理装置及び端末装置を提供することを目的とするものである。
【課題を解決するための手段】
【０００７】
上記目的を達成するため、請求項１に係る発明は、画像処理装置と、前記画像処理装置と連携するアプリケーションがインストールされた端末装置とを備える画像送信システムであって、前記画像処理装置は、ユーザーが各種操作を行うための操作画面を表示する表示手段と、ユーザーによる操作入力を受け付ける操作入力手段と、前記操作入力手段によって受け付けられるユーザーの操作入力に基づき原稿を読み取って画像データを送信するジョブの設定を行う設定手段と、前記設定手段による設定を反映させて原稿の画像を読み取り、画像データを生成する画像読取手段と、前記画像読取手段によって生成される画像データを一時的に記憶する画像記憶手段と、前記画像記憶手段に画像データが記憶されることに伴い、前記端末装置に対して前記アプリケーションの起動コマンドを送信する起動コマンド送信手段と、前記起動コマンドの送信後、前記ジョブの設定を確認するためのジョブ確認画面を生成して前記端末装置に送信する画面送信手段と、前記端末装置から操作情報を受信する操作情報受信手段と、前記操作情報受信手段によって受信された操作情報を判定する操作情報判定手段と、を備え、前記端末装置は、前記起動コマンドを受信することに伴い、前記アプリケーションを起動するアプリケーション起動手段と、前記アプリケーションが前記ジョブ確認画面を受信することに伴い、当該ジョブ確認画面を前記端末装置に表示させる表示制御手段と、前記ジョブ確認画面に対する操作入力を受け付けて操作情報を生成する操作情報生成手段と、前記操作情報生成手段によって生成される操作情報を前記画像処理装置へ送信する操作情報送信手段と、を備え、前記画像処理装置は、前記操作情報判定手段によって前記端末装置から受信した操作情報が前記画像記憶手段に記憶された画像データの送信を承認する操作情報であると判定された場合に前記画像記憶手段に記憶された画像データを読み出して送信することを特徴とする構成である。
【０００８】
請求項２に係る発明は、請求項１に記載の画像送信システムにおいて、前記ジョブ確認画面には、前記設定手段により設定された画像データの送信先に関する情報が含まれており、前記設定手段は、前記操作情報判定手段によって前記端末装置から受信した操作情報が画像データの送信先を変更する操作情報であると判定された場合、当該操作情報に基づいて画像データの送信先を変更することを特徴とする構成である。
【０００９】
請求項３に係る発明は、請求項２に記載の画像送信システムにおいて、前記設定手段は、前記端末装置から受信した操作情報に画像データの送信先に関する宛先情報が含まれる場合、当該宛先情報に基づいて画像データの送信先を変更することを特徴とする構成である。
【００１０】
請求項４に係る発明は、請求項１乃至３のいずれかに記載の画像送信システムにおいて、前記画像処理装置は、前記画像記憶手段に記憶された画像データを編集する画像編集手段を更に備え、前記ジョブ確認画面には、前記画像記憶手段に記憶された画像データのプレビュー画像が含まれており、前記画像編集手段は、前記操作情報判定手段によって前記端末装置から受信した操作情報が前記プレビュー画像に対する編集を指示する操作情報であると判定された場合、当該操作情報に基づいて前記画像記憶手段に記憶された画像データを編集することを特徴とする構成である。
【００１１】
請求項５に係る発明は、請求項４に記載の画像送信システムにおいて、前記画面送信手段は、前記画像編集手段によって前記画像記憶手段に記憶された画像データの編集が行われた場合、当該編集後の画像データに基づくプレビュー画像を含む前記ジョブ確認画面を生成して前記端末装置に送信することを特徴とする構成である。
【００１２】
請求項６に係る発明は、請求項４又は５に記載の画像送信システムにおいて、前記画像処理装置は、スタンプ画像を記憶する記憶手段を更に備えており、前記画像編集手段は、前記操作情報判定手段によって前記端末装置から受信した操作情報が前記スタンプ画像の付加を指示する操作情報であると判定された場合、前記画像記憶手段に記憶された画像データに対して前記スタンプ画像を付加することを特徴とする構成である。
【００１３】
請求項７に係る発明は、請求項４乃至６のいずれかに記載の画像送信システムにおいて、前記画像編集手段は、操作情報と共に前記端末装置から受信する画像データを、前記画像記憶手段に記憶された画像データに追加することを特徴とする構成である。
【００１４】
請求項８に係る発明は、請求項４乃至７のいずれかに記載の画像送信システムにおいて、前記画像編集手段は、前記操作情報判定手段によって前記端末装置から受信した操作情報が前記プレビュー画像の削除を指示する操作情報であると判定された場合、当該操作情報に基づいて前記画像記憶手段に記憶された画像データを削除することを特徴とする構成である。
【００１５】
請求項９に係る発明は、請求項１乃至８のいずれかに記載の画像送信システムにおいて、前記操作情報判定手段は、予め設定された承認用のパスワードを管理し、前記操作情報判定手段によって前記端末装置から受信した操作情報に前記パスワードに一致する情報が含まれる場合、前記画像記憶手段に記憶された画像データの送信を承認する操作情報であると判定することを特徴とする構成である。
【００１６】
請求項１０に係る発明は、請求項１乃至８のいずれかに記載の画像送信システムにおいて、前記画像処理装置は、ユーザーを認証する認証手段を更に備え、前記操作情報判定手段は、前記端末装置から受信した操作情報に基づいて前記認証手段により特定のユーザーが認証された場合、当該操作情報が前記画像記憶手段に記憶された画像データの送信を承認する操作情報であると判定することを特徴とする構成である。
【００１７】
請求項１１に係る発明は、請求項１乃至１０のいずれかに記載の画像送信システムにおいて、前記画面送信手段は、前記端末装置へ送信する前記ジョブ確認画面を前記表示手段へ出力することにより、前記ジョブ確認画面を前記端末装置と前記表示手段の双方に表示させることを特徴とする構成である。
【００１８】
請求項１２に係る発明は、請求項１乃至１１のいずれかに記載の画像送信システムにおいて、前記起動コマンド送信手段は、予め登録された前記端末装置に対して前記起動コマンドを送信することを特徴とする構成である。
【００１９】
請求項１３に係る発明は、請求項１乃至１１のいずれかに記載の画像送信システムにおいて、前記起動コマンド送信手段は、既に通信状態が確立されている前記端末装置に対して前記起動コマンドを送信することを特徴とする構成である。
【００２０】
請求項１４に係る発明は、請求項１乃至１１のいずれかに記載の画像送信システムにおいて、前記起動コマンド送信手段は、ユーザーによって指定された前記端末装置に対して前記起動コマンドを送信することを特徴とする構成である。
【００２１】
請求項１５に係る発明は、原稿を読み取って画像データを送信するジョブを実行する画像処理装置であって、ユーザーが各種操作を行うための操作画面を表示する表示手段と、ユーザーによる操作入力を受け付ける操作入力手段と、前記操作入力手段によって受け付けられるユーザーの操作入力に基づき、前記ジョブの設定を行う設定手段と、前記設定手段による設定を反映させて原稿の画像を読み取り、画像データを生成する画像読取手段と、前記画像読取手段によって生成される画像データを一時的に記憶する画像記憶手段と、前記画像記憶手段に画像データが記憶されることに伴い、端末装置との通信を開始して前記端末装置にインストールされているアプリケーションの起動コマンドを送信する起動コマンド送信手段と、前記起動コマンドにより前記アプリケーションが前記端末装置において起動された後、前記ジョブの設定を確認するためのジョブ確認画面を生成して前記端末装置に送信し、当該ジョブ確認画面を前記アプリケーションによって前記端末装置に表示させる画面送信手段と、前記ジョブ確認画面に対する操作情報を前記端末装置から受信する操作情報受信手段と、前記操作情報受信手段によって受信された操作情報を判定する操作情報判定手段と、前記操作情報判定手段によって前記端末装置から受信した操作情報が前記画像記憶手段に記憶された画像データの送信を承認する操作情報であると判定された場合に前記画像記憶手段に記憶された画像データを読み出して送信する画像送信手段と、を備えることを特徴とする構成である。
【００２２】
請求項１６に係る発明は、請求項１５に記載の画像処理装置において、前記ジョブ確認画面には、前記設定手段により設定された画像データの送信先に関する情報が含まれており、前記設定手段は、前記操作情報判定手段によって前記端末装置から受信した操作情報が画像データの送信先を変更する情報であると判定された場合、当該操作情報に基づいて画像データの送信先を変更することを特徴とする構成である。
【００２３】
請求項１７に係る発明は、請求項１６に記載の画像処理装置において、前記設定手段は、前記端末装置から受信した操作情報に画像データの送信先に関する宛先情報が含まれる場合、当該宛先情報に基づいて画像データの送信先を変更することを特徴とする構成である。
【００２４】
請求項１８に係る発明は、請求項１５乃至１７のいずれかに記載の画像処理装置において、前記画像記憶手段に記憶された画像データを編集する画像編集手段を更に備え、前記ジョブ確認画面には、前記画像記憶手段に記憶された画像データのプレビュー画像が含まれており、前記画像編集手段は、前記操作情報判定手段によって前記端末装置から受信した操作情報が前記プレビュー画像に対する編集を指示する操作情報であると判定された場合、当該操作情報に基づいて前記画像記憶手段に記憶された画像データを編集することを特徴とする構成である。
【００２５】
請求項１９に係る発明は、請求項１５乃至１８のいずれかに記載の画像処理装置において、前記操作情報判定手段は、予め設定された承認用のパスワードを管理し、前記操作情報判定手段によって前記端末装置から受信した操作情報に前記パスワードに一致する情報が含まれる場合、前記画像記憶手段に記憶された画像データの送信を承認する操作情報であると判定することを特徴とする構成である。
【００２６】
請求項２０に係る発明は、請求項１５乃至１８のいずれかに記載の画像処理装置において、前記画像処理装置は、ユーザーを認証する認証手段を更に備え、前記操作情報判定手段は、前記端末装置から受信した操作情報に基づいて前記認証手段により特定のユーザーが認証された場合、当該操作情報が前記画像記憶手段に記憶された画像データの送信を承認する操作情報であると判定することを特徴とする構成である。
【００２７】
請求項２１に係る発明は、画像処理装置と連携するアプリケーションがインストールされた端末装置であって、各種情報を表示する表示手段と、前記表示手段に対するユーザーの操作を受け付ける操作入力手段と、前記画像処理装置から前記アプリケーションの起動コマンドを受信することに伴い、前記アプリケーションを起動するアプリケーション起動手段と、前記アプリケーションが前記画像処理装置から画像データを送信するジョブの設定を確認するためのジョブ確認画面を受信することに伴い、当該ジョブ確認画面を前記表示手段に表示させる表示制御手段と、前記ジョブ確認画面が前記表示手段に表示されている状態において前記操作入力手段によりユーザーの操作を受け付けられることに伴い、当該操作に基づく操作情報を生成する操作情報生成手段と、前記操作情報生成手段によって生成される操作情報を前記画像処理装置へ送信する操作情報送信手段と、を備え、前記操作情報生成手段は、前記操作入力手段によって受け付けられたユーザーの操作が画像データの送信を承認する操作である場合に、前記画像処理装置に対して画像データの送信を承認する操作情報を生成することを特徴とする構成である。
【００２８】
請求項２２に係る発明は、請求項２１に記載の端末装置において、宛先情報を記憶する記憶手段を更に備え、前記ジョブ確認画面には、前記設定手段により設定された画像データの送信先に関する情報が含まれており、前記操作情報生成手段は、前記操作入力手段によって受け付けられたユーザーの操作が前記ジョブ確認画面における画像データの送信先を変更する操作である場合、前記画像処理装置に対して画像データの送信先の変更を指示する操作情報を生成すると共に、当該操作情報に対して前記記憶手段に記憶されている前記宛先情報を付加することを特徴とする構成である。
【００２９】
請求項２３に係る発明は、請求項２１に記載の端末装置において、画像データを記憶する記憶手段を更に備え、前記ジョブ確認画面には、前記画像処理装置によって生成された画像データのプレビュー画像が含まれており、前記操作情報生成手段は、前記操作入力手段によって受け付けられたユーザーの操作が前記ジョブ確認画面におけるプレビュー画像を編集する操作である場合、前記画像処理装置に対して画像データの編集を指示する操作情報を生成すると共に、当該操作情報に対して前記記憶手段に記憶されている前記画像データを付加することを特徴とする構成である。
【発明の効果】
【００３０】
本発明によれば、承認者の移動負担を軽減することができると共に、端末装置においてジョブ確認画面がリアルタイムで表示されるので、承認者による承認操作がリアルタイムでなされるようになる。
【図面の簡単な説明】
【００３１】
【図１】画像送信システムの概念的構成例を示す図である。
【図２】画像処理装置のハードウェア構成の一例を示す図である
【図３】端末装置のハードウェア構成の一例を示す図である。
【図４】画像処理装置の制御部による機能の一構成例を示すブロック図である。
【図５】承認処理部の詳細な機能構成の一例を示す図である。
【図６】端末装置の制御部による機能の一構成例を示すブロック図である。
【図７】画像処理装置と端末装置とが連携動作を行うプロセスを示す図である。
【図８】端末装置の連携アプリケーションによって表示される第１のジョブ確認画面の一例を示す図である。
【図９】端末装置の連携アプリケーションによって表示される第２のジョブ確認画面の一例を示す図である。
【図１０】端末装置の連携アプリケーションによって表示される第３のジョブ確認画面の一例を示す図である。
【図１１】端末装置の連携アプリケーションによって表示される第４のジョブ確認画面の一例を示す図である。
【図１２】画像処理装置において行われる処理手順の一例を示すフローチャートである。
【図１３】端末装置選択処理の詳細な処理手順の一例を示すフローチャートである。
【図１４】操作パネルに表示される端末装置選択画面の一例を示す図である。
【図１５】操作情報判定処理の詳細な処理手順の一例を示す図である。
【図１６】ジョブ設定変更処理の詳細な処理手順の一例を示すフローチャートである。
【図１７】端末装置において行われる処理手順の一例を示すフローチャートである。
【発明を実施するための形態】
【００３２】
以下、本発明に関する好ましい実施形態について図面を参照しつつ詳細に説明する。尚、以下に説明する実施形態において互いに共通する部材には同一符号を付しており、それらについての重複する説明は省略する。
【００３３】
図１は、本発明の一実施形態である画像送信システム１の概念的構成例を示す図である。画像送信システム１は、例えばオフィスなどのローカル環境２に設置されるシステムであり、画像処理装置４と、端末装置５とがＬＡＮ（Local Area Network）などのローカルネットワーク６を介して相互にデータ通信を行うことができる構成である。画像処理装置４は、ＭＦＰなどで構成され、スキャン機能やＦＡＸ機能などを備えている。この画像処理装置４は、一般公衆電話回線などの外部通信網３と接続されており、その外部通信網３を介してＦＡＸデータなどの形態で画像データを外部の送信先へ送信することが可能である。端末装置５は、例えば、タブレット端末などの携帯型の情報処理端末５ａや、一般的なパーソナルコンピュータ（ＰＣ）などの情報処理装置５ｂによって構成される。画像処理装置４は、それらの端末装置５とローカルネットワーク６を介して有線又は無線による通信を行うことが可能であると共に、Ｂｌｕｅｔｏｏｔｈ（登録商標）やＮＦＣ（Near Field Communication）などにより１台の端末装置５と無線による１対１の接続状態７を確立して通信を行うことが可能である。
【００３４】
画像処理装置４は、ユーザーが操作する際のユーザーインタフェースとなる操作パネル１４と、原稿を読み取る画像読取部１６とを備えており、操作パネル１４を介してユーザーによるジョブの設定操作を受け付け、画像読取部１６で原稿を読み取って画像データを送信するジョブの設定を行う。そしてユーザーが操作パネル１４のスタートキーなどを操作してジョブの実行指示を行うと、画像処理装置４は、画像読取部１６を駆動して原稿の読み取り動作を開始する。原稿を読み取って生成した画像データを外部通信網３に送信するジョブである場合、画像処理装置４は、ユーザーの指示に基づいてジョブの実行を開始し、原稿の読み取り動作によって生成した画像データを一時的に内部に保存する。そして画像処理装置４は、画像データの送信を開始する前に、ローカル環境２に設けられている複数の端末装置５のうちの１つの端末装置５と通信を行い、端末装置５に予めインストールされているアプリケーションであって、画像処理装置４と連携動作するアプリケーションを端末装置５において起動させる。その後、画像処理装置４は、操作パネル１４を介してユーザーにより設定された画像データの送信先や、原稿を読み取った画像データなどを含むジョブ確認画面を生成し、そのジョブ確認画面を端末装置５に送信する。
【００３５】
一方、端末装置５は、画像処理装置４と連携動作するアプリケーションを自動的に起動させた後、画像処理装置４からジョブ確認画面を受信すると、そのアプリケーションがジョブ確認画面を端末装置５において自動的に表示する。したがって、画像処理装置４が例えば画像データの送信を承認する承認者の端末装置５と通信を開始し、その端末装置５のアプリケーションを起動させてジョブ確認画面を表示させることにより、承認者が端末装置５を用いて別の作業を行っている場合でもジョブ確認画面がリアルタイムで表示されるので画像データの送信を許可するか否かの承認操作を即時に行うことができる。つまり、従来のような電子メールによる承認依頼では、承認者が電子メールを受信したことに気付かない可能性があるのに対し、本実施形態の画像処理装置４は、端末装置５のアプリケーションを自動的に起動させ、そのアプリケーションによってジョブ確認画面を端末装置５にリアルタイムで表示させるので承認者に承認操作を直ぐに行わせることができるのである。
【００３６】
画像処理装置４が通信を行ってアプリケーションを起動させる端末装置５は、必ずしも承認者が使用している端末装置５に限られない。例えば画像処理装置４は、ジョブの設定操作を行ったユーザー（送信者）が使用しているタブレット端末などの可搬性を有する端末装置５（５ａ）と通信を行い、ユーザーの端末装置５（５ａ）にアプリケーションを起動させると共に、ジョブ確認画面を表示させるようにしても良い。この場合、ユーザーは、自身の端末装置５（５ａ）にジョブ確認画面が表示されると、それを承認者が居る場所まで持参してジョブ確認画面を提示することにより、承認者に直ぐに承認操作を行わせることができる。この場合、承認者を画像処理装置４の設置場所まで連れて来る必要がないので、承認者の移動負担を軽減することができる。また可搬性を有する端末装置５は、ユーザーが占有して使用するものに限らず、例えば複数のユーザーが共有して使用する装置であっても構わない。
【００３７】
承認者が端末装置５を介して画像データの送信先となる宛先の変更や追加、削除などの編集を行うと、端末装置５のアプリケーションが画像処理装置４に対してそれに対応する操作情報を送信する。そして画像処理装置４は、その操作情報に基づき、送信者であるユーザーが設定した送信先を変更し、ジョブを再設定する。また承認者が端末装置５を介して画像データの変更や追加、削除などの編集を行うと、端末装置５のアプリケーションが画像処理装置４に対してそれに対応する操作情報を送信する。そして画像処理装置４は、その操作情報に基づき、原稿を読み取って一時的に保存している画像データの編集処理を行って画像データを更新し、ジョブを再設定する。更に承認者が端末装置５を介して画像データの送信を許可する承認操作を行うと、端末装置５のアプリケーションが画像処理装置４に対してそれに対応する操作情報を送信する。そして画像処理装置４は、その操作情報に基づき、一時的に保存している画像データを読み出して送信先として指定されている宛先に画像データを送信する。以下、このような画像送信システム１について詳しく説明する。
【００３８】
図２は、画像処理装置４のハードウェア構成の一例を示す図である。画像処理装置４は、ＣＰＵ１０ａとメモリ１０ｂとを備える制御部１０と、ハードディスクドライブ（ＨＤＤ）などで構成される不揮発性の記憶装置１１と、画像処理装置４をＬＡＮなどのローカルネットワーク６に接続するためのネットワークインタフェース１２と、端末装置５との１対１での無線通信を行う無線通信部１３と、表示部１４ａ及び操作入力部１４ｂを有する操作パネル１４と、画像読取部１６の画像読取位置に対して原稿を１枚ずつ自動搬送する原稿搬送部１５と、原稿の画像を読み取る画像読取部１６と、画像データを一時的に記憶する画像メモリ１７と、印刷出力を行う際に記録用紙などのシート材を１枚ずつ給紙搬送する給紙部１８と、給紙部１８によって給紙搬送されるシート材にトナー画像を転写して定着させる画像形成部１９と、外部通信網３などを介して外部に画像データを送信する画像送信部２０とを備え、これらがデータバス２１を介して相互に各種データの入出力を行うことができる構成である。
【００３９】
操作パネル１４の表示部１４ａは、例えばカラー液晶ディスプレイなどによって構成され、画像処理装置４を操作するユーザーに対して各種の情報を表示する。操作入力部１４ｂは、例えば表示部１４ａの表示画面上に設けられるタッチパネルキーと表示部１４ａの周囲に配置される押しボタンキーとによって構成され、ユーザーによる操作入力を受け付ける。表示部１４ａにはユーザーがジョブの設定操作を行う際の様々な設定画面が表示されるので、ユーザーはそのような設定画面を参照しながら、操作入力部１４ｂに対してジョブの設定操作を行うことができる。
【００４０】
記憶装置１１には、プログラム２２と、ユーザー情報２３と、端末登録情報２４と、承認用パスワード２５と、スタンプ画像と、宛先情報２７とが予め記憶されている。プログラム２２は、制御部１０のＣＰＵ１０ａによって実行されるプログラムである。ユーザー情報２３は、画像処理装置４を使用するユーザーに関する情報が予め登録された情報であり、例えば各ユーザーのユーザーＩＤやパスワードなどが登録された情報であり、画像データの送信操作を行う送信者に関する情報や、画像データが送信される際の承認操作を行う承認者に関する情報を含む情報である。端末登録情報２４は、各ユーザー（送信者及び承認者を含む）が使用する端末装置５に関する情報が登録された情報である。承認用パスワード２５は、予め承認者によって登録された文字列などの情報であり、承認者による承認操作が正当なものであるか否かを判断するために参照される情報である。スタンプ画像２６は、画像メモリ１７に一時的に保存される画像データに付加される画像であり、例えば「極秘」や「至急」、「重要」といったスタンプを１ページ分の画像データの少なくとも一部分に付加するための画像である。
【００４１】
図３は、端末装置５のハードウェア構成の一例を示す図である。端末装置５は、ＣＰＵ３０ａとメモリ３０ｂとを備える制御部３０と、端末装置５をＬＡＮなどのローカルネットワーク６に接続するためのネットワークインタフェース３１と、画像処理装置４との１対１での無線通信を行う無線通信部３２と、カラー液晶ディスプレイなどで構成された各種情報を表示する表示部３３と、表示部３３の表示画面上に配置されるタッチパネルやマウスなどで構成される操作入力部３４と、ハードディスクドライブ（ＨＤＤ）やソリッドステートドライブ（ＳＳＤ）などで構成される不揮発性の記憶装置３５とを備え、これらがデータバス３６を介して相互に各種データの入出力を行うことができる構成である。
【００４２】
記憶装置３５には、アプリケーションプログラム３７が予め記憶される。アプリケーションプログラム３７は、端末装置５に画像処理装置４と連携した動作を行わせるためのプログラムである。また記憶装置３５には、様々な資料などの画像データ３８や、ＦＡＸ送信宛先を含む宛先情報３９なども記憶される。
【００４３】
次に画像処理装置４の機能構成について説明する。図４は、画像処理装置４の制御部１０による機能の一構成例を示すブロック図である。図４に示すように、制御部１０は、ＣＰＵ１０ａがプログラム２２を読み出して実行することにより、ユーザー認証部４１、ジョブ設定部４２、画像読取制御部４３、承認処理部４４及び画像送信制御部４５として機能する。
【００４４】
ユーザー認証部４１は、ユーザーＩＤやパスワードなどの情報を入力した場合に記憶装置１１に予め記憶されているユーザー情報２３を読み出し、入力された情報がユーザー情報２３に登録されているか否かを判別することによってユーザー認証を行う。例えば、ユーザーが画像処理装置４を操作してジョブの設定操作を行う際、最初に操作パネル１４を介してユーザーＩＤやパスワードを入力することにより、ユーザー認証部４１によるユーザー認証を受ける。ユーザー認証部４１は、ユーザー認証においてユーザー情報２３に登録されたユーザーであることを特定することができると、画像処理装置４をログイン状態へ移行させる。ログイン状態は、ユーザーがジョブの設定操作やジョブの実行指示などを行うことができる状態である。
【００４５】
ジョブ設定部４２は、画像処理装置４がログイン状態へ移行することによって機能し、操作パネル１４の表示部１４ａにユーザーがジョブの設定操作を行うための設定画面を表示し、ユーザーによるジョブの設定操作を受け付ける。ユーザーが操作入力部１４ｂに対してジョブの設定操作を行うと、ジョブ設定部４２は、その操作に基づきジョブの設定を行い、設定情報２９を生成する。例えばユーザーが原稿を読み取って画像データを送信するジョブの設定を行った場合、ジョブ設定部４２は、原稿読み取り時の設定や画像データの送信先などをユーザーの操作に基づいて設定し、それらの設定値を含む設定情報２９を生成する。この設定情報２９は、例えば制御部１０のメモリ３０ｂに一時的に保存される。そしてユーザーがジョブの設定操作を行った後、操作パネル１４に含まれるスタートキーなどを操作すると、制御部１０は、設定情報２９に基づいてジョブの実行を開始する。
【００４６】
画像読取制御部４３は、ジョブの実行開始に伴って機能し、原稿搬送部１５及び画像読取部１６を同期させて動作させることにより、ユーザーによってセットされた原稿の画像読み取り動作を１枚ずつ行わせる。そして画像読取制御部４３は、画像読取部１６から出力される１枚ずつの画像データを取得し、それら１枚ずつの画像データを結合させた１つの画像データ４６を生成して画像メモリ１７へ一時的に保存する。ユーザーによって指定されたジョブが原稿を読み取って画像データ４６を外部へ送信するジョブである場合、画像読取制御部４３は、原稿搬送部１５及び画像読取部１６による一連の原稿の読み取り動作が終了して送信対象となる画像データ４６を画像メモリ１７へ格納すると、次に承認処理部４４を機能させる。
【００４７】
承認処理部４４は、画像メモリ１７へ格納した画像データ４６を外部へ送信する前に、承認者による承認を得るための処理を行う。図５は、承認処理部４４の詳細な機能構成の一例を示す図である。承認処理部４４は、起動コマンド送信部４４１と、画面送信部４４２と、操作情報受信部４４３と、操作情報判定部４４４と、宛先編集部４４５と、画像編集部４４６と、送信許可部４４７とを備えている。
【００４８】
起動コマンド送信部４４１は、ローカル環境２にある複数の端末装置５のうちの１台の端末装置５に対してアプリケーションの起動コマンドを送信することにより、その１台の端末装置５において画像処理装置４と連携するアプリケーションを起動させる処理部である。例えば、起動コマンド送信部４４１は、例えば無線通信部１３が１台の端末装置５と無線による１対１の接続状態７を確立しているとき、その１台の端末装置５を起動コマンドの送信対象として特定する。
【００４９】
また画像メモリ１７に送信対象となる画像データ４６が格納されたタイミングで無線通信部１３が１台の端末装置５との接続状態７を確立させていないとき、起動コマンド送信部４４１は、起動コマンドの送信対象となる端末装置５をユーザーが指定するか否かを問い合わせる画面を表示部１４ａに表示する。そしてユーザーが端末装置５を指定することを指示した場合、起動コマンド送信部４４１は、ローカルネットワーク６を介して通信可能な端末装置５を検索し、その検索結果に基づき通信可能な端末装置５のリストを表示する。ユーザーがリストの中から１台の端末装置５を選択すると、起動コマンド送信部４４１は、ユーザーによって選択された端末装置５を起動コマンドの送信対象として特定する。
【００５０】
一方、ユーザーが自身で端末装置５を指定することを指示しなかった場合、起動コマンド送信部４４１は、記憶装置１１から端末登録情報２４を読み出し、その端末登録情報２４に登録されている端末装置５を起動コマンドの送信対象として特定する。例えば端末登録情報２４に複数の端末装置５が登録されている場合、起動コマンド送信部４４１は、画像処理装置４にログインしたユーザーが占有する端末装置５を起動コマンドの送信対象として特定しても良いし、また画像処理装置４にログインしたユーザーが他のユーザーと共有している端末装置５を起動コマンドの送信対象として特定しても良い。更に、画像処理装置４にログインしたユーザーが設定したジョブの承認操作を行う承認者の端末装置５を起動コマンドの送信対象として特定して特定しても良い。
【００５１】
起動コマンド送信部４４１によって１台の端末装置５に起動コマンドが送信されると、それ以後、承認処理部４４は、ネットワークインタフェース１２又は無線通信部１３を介してその１台の端末装置５と通信を行うようになる。
【００５２】
画面送信部４４２は、ユーザーによって設定されたジョブの内容を確認するためのジョブ確認画面を生成し、起動コマンドによってアプリケーションを起動した端末装置５に対してそのジョブ確認画面を送信する処理部である。この画面送信部４４２は、はじめに操作パネル１４の表示部１４ａに表示するためのジョブ確認画面を生成する。すなわち、表示部１４ａに表示するためのジョブ確認画面は、操作パネル１４で表示可能な所定のファイル形式の画像であって、表示部１４ａの画面サイズに対応した画像として生成される。しかし、端末装置５では、そのようなファイル形式の画像を表示することができないことがあり、また端末装置５の画面サイズも操作パネル１４の表示部１４ａとは異なる可能性がある。そのため、画面送信部４４２は、操作パネル１４の表示部１４ａに表示するためのジョブ確認画面を生成すると、そのジョブ確認画面を端末装置５の表示解像度に対応した画面サイズに変更する解像度変換処理を行う。そして解像度変換を行ったジョブ確認画面をビットマップに変換し、端末装置５において表示可能なビットマップ画像としてジョブ確認画面を生成する。そして画面送信部４４２は、ビットマップ画像として生成したジョブ確認画面を端末装置５へ送信する。
【００５３】
画面送信部４４２は、ユーザーによって設定された画像データの送信先となる宛先や、画像データ送信時の各種設定、画像メモリ１７に格納された画像データ４６のプレビュー画像などを含むジョブ確認画面を生成可能である。そのため、端末装置５において起動されたアプリケーションがジョブ確認画面を表示すると、その表示画面によって、画像データの送信先となる宛先や、画像データ送信時の各種設定、送信対象となる画像データ４６の内容などを確認することができるようになる。
【００５４】
また画面送信部４４２は、ジョブ確認画面を端末装置５へ送信した後、端末装置５から操作情報を受信することによってジョブ確認画面を更新する必要が生じると、その都度機能する。そして画面送信部４４２は、新たなジョブ確認画面を生成して端末装置５へ送信する。これにより、端末装置５において表示されるジョブ確認画面は、必要に応じて逐次更新されるようになる。
【００５５】
さらに画面送信部４４２は、端末装置５から受信した操作情報が端末装置５のローカル画面を表示させるものである場合、端末装置５に対してローカル画面の表示を指示するコマンドを送信する。これにより、端末装置５におけるローカル画面を表示させることができるため、例えば画像データの送信先となる宛先を追加する際に端末装置５の宛先情報３９をリスト表示するローカル画面を表示させることにより、宛先情報３９の中から追加すべき宛先を選択することができるようになる。また送信対象となる画像データを追加する際には端末装置５の画像データ３８をサムネイル表示するローカル画面を表示させることにより、画像データ３８を追加すべき画像データとして選択することができるようになる。
【００５６】
操作情報受信部４４３は、画面送信部４４２によってジョブ確認画面が端末装置５へ送信された後に機能し、端末装置５から送信される操作情報を、ネットワークインタフェース１２又は無線通信部１３を介して受信する。この操作情報には、ユーザー（承認者）が端末装置５に対してタップ操作などを行った操作位置に関する座標情報が含まれる。そして操作情報受信部４４３によって操作情報が受信されると、操作情報判定部４４４が機能する。
【００５７】
操作情報判定部４４４は、操作情報に含まれる座標情報に基づいてジョブ確認画面に対するタップ操作などの操作位置を特定し、その操作位置に応じてユーザー（承認者）によって行われた操作を判定する。すなわち、端末装置５に送信されるジョブ確認画面はビットマップ画像であるため、ユーザー（承認者）がジョブ確認画面に含まれるボタンやキーなどの画像をタップ操作しても、端末装置５ではそのタップ操作がどのようなボタンやキーに対するものであるかを判定することができない。そのため、端末装置５は、ジョブ確認画面に対する操作を検知すると、タップ操作などが行われた位置をジョブ確認画面上における座標情報として生成し、その座標情報を含む操作情報を画像処理装置４に送信する。操作情報判定部４４４は、そのような座標情報に基づいてユーザー（承認者）によって行われた操作を判定するのである。
【００５８】
操作情報判定部４４４によって判定される操作には、画像データの送信を許可する承認操作や、画像データの送信を許可しない操作、画像データの送信先として設定された宛先を変更する操作、送信対象として画像メモリ１７に格納されている画像データ４６の編集を行うための操作、ジョブ確認画面を別の画面に更新する操作などがある。操作情報判定部４４４は、端末装置５から受信する操作情報を解析することにより、それら複数の操作の中から、ユーザー（承認者）によって行われた操作を判定する。
【００５９】
例えば端末装置５で行われた操作がジョブ確認画面を別の画面に更新する操作であると判定した場合、操作情報判定部４４４は、再び画面送信部４４２を機能させる。これにより、画面送信部４４２は、ユーザー（承認者）によって指定された別のジョブ確認画面を生成して端末装置５へ送信することにより、端末装置５で表示されるジョブ確認画面が別の画面に更新される。
【００６０】
また端末装置５で行われた操作が画像データの送信先として設定された宛先を変更する操作である場合、操作情報判定部４４４は、宛先編集部４４５を機能させる。宛先編集部４４５は、設定情報２９において画像データ４６の送信先として設定されている宛先の追加、削除又は変更を行うことにより、画像データの送信先を編集する処理部である。宛先編集部４４５は、端末装置５のユーザー（承認者）によって指定された宛先を追加したり、削除したりすることができる。また操作情報と共に、端末装置５から宛先情報を受信した場合、宛先編集部４４５は、端末装置５から受信した宛先情報に基づいて画像データ４６の送信先となる宛先を追加することもできる。そして宛先編集部４４５は、設定情報２９において画像データ４６の送信先として設定されている宛先情報を更新する。宛先編集部４４５によって設定情報２９に含まれる宛先情報が更新されると、宛先編集部４４５は、再び画面送信部４４２を機能させる。これにより、画面送信部４４２は、宛先編集部４４５によって更新された後の宛先情報に基づき、画像データ４６の送信先を確認するためのジョブ確認画面を新たに生成して端末装置５へ送信し、端末装置５で表示されるジョブ確認画面を宛先編集後の画面に更新する。
【００６１】
また端末装置５で行われた操作が送信対象として画像メモリ１７に格納されている画像データ４６の編集を指示する操作である場合、操作情報判定部４４４は、画像編集部４４６を機能させる。画像編集部４４６は、画像メモリ１７に保存されている画像データ４６を編集する処理部であり、例えば端末装置５のユーザー（承認者）によって指定されたスタンプ画像２６を画像データ４６に重ね合わせることによって付加したり、ページ数や日付などの情報を付加したりする。また画像編集部４４６は、複数ページから成る画像データ４６の指定されたページの画像を削除したり、指定されたページ間に別の画像データを追加したりすることもできる。例えば操作情報と共に、端末装置５から画像データを受信した場合、画像編集部４４６は、端末装置５から受信した画像データを画像データ４６に追加することもできる。そして画像編集部４４６は、画像メモリ１７に格納されている画像データ４６を編集処理によって更新する。画像編集部４４６によって画像メモリ１７に格納されている画像データ４６が更新されると、画像編集部４４６は、再び画面送信部４４２を機能させる。これにより、画面送信部４４２は、画像編集部４４６によって更新された画像データ４６に基づき、画像データ４６の内容を確認するためのプレビュー画像などを含むジョブ確認画面を新たに生成して端末装置５へ送信し、端末装置５で表示されるジョブ確認画面を画像編集後の画面に更新する。
【００６２】
また端末装置５で行われた操作が画像メモリ１７に格納されている画像データ４６の送信を承認する操作である場合、操作情報判定部４４４は、送信許可部４４７を機能させる。送信許可部４４７は、ユーザー（承認者）による承認操作が正当な承認操作であるか否かを判定し、正当な承認操作であれば、画像データ４６の送信を許可する。これに対し、ユーザー（承認者）による承認操作が正当な承認操作でない場合、送信許可部４４７は、画像データ４６の送信を許可することなく、画像メモリ１７に格納されている画像データ４６を破棄する。送信許可部４４７による判定は、例えば端末装置５から受信するパスワードが承認用パスワード２５に一致するか否かにより行われる。すなわち、端末装置５を操作するユーザー（承認者）が承認操作を行う際に入力したパスワードが、承認用パスワード２５に一致すれば、画像データ４６の送信を許可し、一致しなれば、画像データ４６を破棄する。またこの他にも、送信許可部４４７は、例えば端末装置５からユーザー（承認者）のユーザーＩＤ及びパスワードといったユーザー情報を取得し、そのユーザー情報に基づいてユーザー認証部４１にユーザー認証を行わせ、そのユーザー認証で承認者であることが認証されれば、画像データ４６の送信を許可するようにしても良い。この場合、ユーザー認証で承認者であることが認証されなければ、画像データ４６が破棄される。
【００６３】
このように承認処理部４４は、端末装置５を操作するユーザー（承認者）の操作に基づいてジョブの設定を変更したり、画像データ４６を編集したりする。そして最終的に画像データ４６の送信を許可すると、図４に示す画像送信制御部４５が機能する。
【００６４】
画像送信制御部４５は、画像メモリ１７から画像データ４６を読み出して画像送信部２０へ出力すると共に、設定情報２９において指定されている宛先情報に基づいて画像送信部２０を制御することにより、画像メモリ１７に格納されている画像データ４６を外部の宛先に送信する。そして画像送信部２０によって画像データ４６の送信が完了すると、画像メモリ１７から画像データ４６を消去する。
【００６５】
次に端末装置５の機能構成について説明する。図６は、端末装置５の制御部３０による機能の一構成例を示すブロック図である。図６に示すように、制御部３０は、アプリケーション起動部５１及び連携アプリケーション５２として機能する。このうち、アプリケーション起動部５１は、端末装置５のオペレーティングシステム（ＯＳ）によって実現される機能であり、端末装置５の起動状態において制御部３０に常駐する。そしてアプリケーション起動部５１は、ネットワークインタフェース３１又は無線通信部３２を介して画像処理装置４から送信される起動コマンドを受信すると、記憶装置３５に予めインストールされているアプリケーションプログラム３７を読み出して起動することにより、連携アプリケーション５２を機能させる。すなわち、連携アプリケーション５２は、制御部３０のＣＰＵ３０ａがアプリケーションプログラム３７を読み出して実行することによって実現される機能である。制御部３０において連携アプリケーション５２が機能することにより、端末装置５は、画像処理装置４と連携した動作を行うことができるようになる。
【００６６】
連携アプリケーション５２は、表示制御部５３と、操作情報生成部５４と、操作情報送信部５５とを備えている。表示制御部５３は、画像処理装置４から送信されるジョブ確認画面を表示部３３に出力して表示させる処理部である。操作情報生成部５４は、表示部３３にジョブ確認画面が表示されているときに操作入力部３４によって検知されるユーザー（承認者）の入力操作に基づき、操作情報を生成する。すなわち、操作情報生成部５４は、ユーザーによって操作された表示部３３の画面上の座標位置を検出し、その座標位置を画像処理装置４に設けられた操作パネル１４の表示部１４ａに対応する座標に変換して座標情報を生成する。そして操作情報生成部５４は、その座標情報を含む操作情報を生成する。操作情報送信部５５は、操作情報生成部５４によって生成された座標情報を含む操作情報をネットワークインタフェース３１又は無線通信部３２を介して画像処理装置４へ送信する。また操作情報送信部５５は、ユーザー（承認者）による操作に基づき、記憶装置３５に記憶されている画像データ３８や宛先情報３９を操作情報と共に送信することができる。
【００６７】
このように連携アプリケーション５２は、画像処理装置４から送信されるジョブ確認画面を表示部３３に表示し、そのジョブ確認画面に対する操作を検知すると、その操作に対応した操作情報を生成して画像処理装置４へ送信するように構成される。また連携アプリケーション５２は、画像処理装置４からローカル画面の表示を指示するコマンドを受信すると、オペレーティングシステムにローカル画面の起動を指示してローカル画面を表示させる。これにより、端末装置５で生成されたローカル画面が表示部３３に表示されるようになる。そしてユーザー（承認者）がローカル画面に対する操作を行うと、連携アプリケーション５２は、ユーザーによって選択された画像データ３８や宛先情報３９を操作情報と共に、画像処理装置４へ送信する。
【００６８】
次に画像処理装置４と端末装置５との連携動作の一例について説明する。図７は、画像処理装置４と端末装置５とが連携動作を行うプロセスを示す図である。まず画像処理装置４は、ユーザー（送信者）の指示操作に基づき、原稿を読み取って生成した画像データを外部へ送信するジョブの設定を行う（プロセスＰ１）。そしてユーザー（送信者）がジョブの実行指示を行うと、画像処理装置４は、原稿の画像を読み取り（プロセスＰ２）、それによって生成された画像データ４６を画像メモリ１７に保存する（プロセスＰ３）。その後、画像処理装置４は、端末装置５に起動コマンドＤ１を送信する（プロセスＰ４）。
【００６９】
端末装置５は、起動コマンドＤ１を受信すると、アプリケーションプログラム３７を読み出して実行することにより、連携アプリケーション５２を起動させる（プロセスＰ５）。その後、画像処理装置４及び端末装置５によるプロセスは、連携プロセスＰＡへと移行する。この連携プロセスＰＡでは、まず画像処理装置４がジョブ確認画面Ｄ２を生成し（プロセスＰ６）、そのジョブ確認画面Ｄ２を端末装置５へ送信する（プロセスＰ７）。端末装置５は、ジョブ確認画面Ｄ２を受信すると、そのジョブ確認画面Ｄ２を表示部３３に表示する（プロセスＰ８）。これにより、ユーザー（承認者）は、ジョブの具体的な内容を確認することができる。そして端末装置５は、ユーザー（承認者）による操作を検知すると（プロセスＰ９）、その操作に対応する操作情報Ｄ３を生成し（プロセスＰ１０）、操作情報Ｄ３を画像処理装置４へ送信する（プロセスＰ１１）。
【００７０】
画像処理装置４は、端末装置５から操作情報Ｄ３を受信すると、その操作情報Ｄ３に基づいてユーザー（承認者）によって行われた操作を判定する（プロセスＰ１２）。その結果、操作情報Ｄ３が画像データ４６の送信を承認する承認操作であり、その承認操作が正当なものであれば、画像データ４６の送信を許可する。そして画像処理装置４は、画像メモリ１７から画像データ４６を読み出し（プロセスＰ１３）、外部通信網３を介して画像データ４６を送信する（プロセスＰ１４）。尚、操作情報Ｄ３が画像データ４６の送信先となる宛先の変更指示や、画像データ４６の編集指示などであった場合、画像処理装置４は、それらの指示に対応する処理を行った後、あらためてプロセスＰ６移行の処理を実施し、変更後の宛先や編集後の画像データ４６をユーザー（承認者）に確認させる。
【００７１】
次に端末装置５の表示部３３に表示されるジョブ確認画面を例示しつつ、ユーザー（承認者）によるジョブの確認作業について説明する。ユーザー（承認者）による確認作業は、例えば宛先確認、設定確認、画像確認、承認操作の順で行われる。ただし、ユーザー（承認者）は、確認作業の順序を自身で変更することも可能である。
【００７２】
図８は、端末装置５の連携アプリケーション５２によって表示部３３に表示される第１のジョブ確認画面Ｇ１０の一例を示す図である。図８（ａ）に示すジョブ確認画面Ｇ１０は、画像処理装置４において画像データ４６の送信先として設定された宛先を確認するための画面となっている。すなわち、画像処理装置４は、図８（ａ）に示すジョブ確認画面Ｇ１０を端末装置５において表示させるとき、ユーザー（送信者）が画像データ４６の送信先として設定した宛先情報を含む画面を生成して端末装置５に送信する。したがって、このジョブ確認画面Ｇ１０には、画像処理装置４において画像データ４６の送信先として設定されている宛先情報が含まれるので、承認者は画像データ４６の送信先を確認することができる。
【００７３】
また図８（ａ）に示すジョブ確認画面Ｇ１０では、端末宛先追加ボタンＢ１０と、宛先変更ボタンＢ１１と、次の確認作業へ進むためのボタンＢ１２と、スライドタブＢ１３とが表示される。端末宛先追加ボタンＢ１０は、端末装置５に記憶されている宛先情報３９のリストをローカル画面として表示させ、承認者が宛先情報３９の中から画像データ４６の送信先となる宛先を追加設定するためのボタンである。また宛先変更ボタンＢ１１は、画像データ４６の送信先として指定されている宛先の追加又は削除を行うためのボタンである。例えばユーザー（承認者）が宛先変更ボタンＢ１１を操作すると、その座標情報を含む操作情報が画像処理装置４に送信され、画像処理装置４に登録されている宛先情報２７のリスト画面を画像処理装置４から取得して表示することができる。そのため、ユーザー（承認者）は、画像処理装置４に登録されている宛先情報２７の中から画像データ４６の送信先となる宛先を追加設定することができる。またユーザー（承認者）によってボタンＢ１２が操作されると、それに対応する操作情報が画像処理装置４へ送信され、端末装置５の表示部３３に表示されるジョブ確認画面Ｇ１０が、次の確認作業を行うための画面に更新される。
【００７４】
図８（ｂ）は、スライドタブＢ１３をユーザー（承認者）が左方向へスライド操作した場合の画面例を示している。ユーザー（承認者）によってスライドタブＢ１３がスライド操作されると、それに伴う操作情報が画像処理装置４へ送信され、端末装置５は、画像処理装置４から受信する情報に基づいて図８（ｂ）に示すようにメニュー画面Ｇ１１を表示部３３に表示させる。このメニュー画面Ｇ１１は、端末装置５で生成されるローカル画面であっても良いし、画像処理装置４で生成される画面であっても良い。このメニュー画面Ｇ１１には、ユーザー（承認者）が宛先確認を行うための宛先確認ボタンＢ１４と、ジョブの設定内容を確認するための設定確認ボタンＢ１５と、送信対象である画像データ４６の中身を確認するための画像確認ボタンＢ１６と、画像データ送信の承認操作を行うための承認操作ボタンＢ１７と、ジョブ確認画面を画像処理装置４のユーザー（送信者）と共有して参照するための画面共有ボタンＢ１８とが含まれる。尚、スライドタブＢ１３は、後述する各ジョブ確認画面においても表示されるため、メニュー画面Ｇ１１は、いずれのジョブ確認画面が表示されているときでも表示可能である。
【００７５】
宛先確認ボタンＢ１４、設定確認ボタンＢ１５及び画像確認ボタンＢ１６のいずれかが操作されると、それらの確認作業を行うためのジョブ確認画面が表示される。したがって、ユーザー（承認者）は、メニュー画面Ｇ１１を表示させることにより、ジョブの確認作業の順序を自身が所望する順序で進めていくことができる。尚、承認操作ボタンＢ１７は、宛先確認、設定確認及び画像確認のそれぞれのジョブ確認画面が表示部３３に表示された後に、操作可能になることが好ましい。
【００７６】
また画面共有ボタンＢ１８を操作すると、端末装置５の表示部３３に表示される画面と同様の画面が画像処理装置４の操作パネル１４にも表示されるようになる。そのため、承認者が端末装置５を操作しながらジョブの設定変更などを行う際の手順を、送信者が操作パネル１４に表示される画面を見ながら習得することができる。言い換えると、承認者は、画面共有ボタンＢ１８を操作して端末装置５で表示される画面と同様の画面を操作パネル１４に表示させることにより、ジョブを設定する際の設定方法を送信者に教示しながらジョブの確認作業を進めることができる。
【００７７】
図８（ｃ）は、ユーザー（承認者）が端末宛先追加ボタンＢ１０を操作した場合の画面例を示している。端末宛先追加ボタンＢ１０が操作されると、それに対応する操作情報が画像処理装置４へ送信され、画像処理装置４からローカル画面の表示を指示するコマンドを受信する。そのため、端末装置５は、そのコマンドに基づき、宛先情報３９に登録されている宛先のリストを表示するためのローカル画面Ｇ１２を表示部３３に表示させる。このようなローカル画面Ｇ１２が表示されることにより、ユーザー（承認者）は、画像処理装置４において登録されていない宛先であっても、端末装置５に登録されている宛先を選択して画像データ４６の送信先として追加することができる。
【００７８】
次に図９は、端末装置５の連携アプリケーション５２によって表示部３３に表示される第２のジョブ確認画面Ｇ２０の一例を示す図である。図９（ａ）に示すジョブ確認画面Ｇ２０は、画像処理装置４において画像データ送信時に付加する情報の設定内容を確認するための画面となっている。すなわち、画像処理装置４は、図９（ａ）に示すジョブ確認画面Ｇ２０を端末装置５において表示させるとき、ユーザー（送信者）によって設定された設定情報２９を参照して画像データ４６に付加する情報を確認するための画面を生成して端末装置５に送信する。したがって、承認者はジョブ確認画面Ｇ２０が表示されることにより、画像データ４６に付加される情報を確認することができる。
【００７９】
図９（ａ）に示すジョブ確認画面Ｇ２０では、画像データ４６に対して日付を付加する設定をオンとオフとで切り替えるためのボタンＢ２０，Ｂ２１と、ページ数を付加する設定をオンとオフとで切り替えるためのボタンＢ２２，Ｂ２３と、スタンプ画像２６を付加する設定を切り替えるためのボタンＢ２４，Ｂ２５，Ｂ２６，Ｂ２７と、次の確認作業へ進むためのボタンＢ２８と、スライドタブＢ１３とが表示される。図８（ａ）に示す例では、画像データ４６に対して日付を付加する設定がオンであり、ページを付加する設定がオフであり、スタンプ画像２６を付加する設定がオフである場合を例示している。そして承認者がスタンプ画像２６を付加する設定に変更する場合、「極秘」、「至急」、「重要」の３つのボタンＢ２５，Ｂ２６，Ｂ２７のうちから１つのボタンを選択して操作すると、それに対応する操作情報が画像処理装置４へ送信され、画像処理装置４においてスタンプ画像２６を付加する設定がオンに変更される。画像処理装置４は、スタンプ画像２６の付加設定を変更すると、その設定変更を反映させたジョブ確認画面Ｇ２０を新たに生成し、端末装置５へ送信する。その結果、端末装置５において表示されるジョブ確認画面Ｇ２０は、図９（ｂ）に示す画面に更新される。このように承認者がジョブの設定内容を変更すると、端末装置５において表示されるジョブ確認画面がその設定変更を反映させた状態に自動更新されるため、承認者は画像データ４６が送信される前に自身で設定変更した内容を確認することもできる。
【００８０】
次に図１０は、端末装置５の連携アプリケーション５２によって表示部３３に表示される第３のジョブ確認画面Ｇ３０の一例を示す図である。図１０（ａ）に示すジョブ確認画面Ｇ３０は、画像処理装置４において原稿を読み取って生成された画像データ４６の中身を確認するための画面となっている。すなわち、画像処理装置４は、図１０（ａ）に示すジョブ確認画面Ｇ３０を端末装置５において表示させるとき、画像メモリ１７に格納された画像データ４６を縮小したプレビュー画像を生成し、そのプレビュー画像を含む画面を生成して端末装置５に送信する。したがって、承認者は端末装置５においてジョブ確認画面Ｇ３０が表示されることにより、画像データ４６の中身を確認することができる。
【００８１】
図１０（ａ）に示すジョブ確認画面Ｇ３０には例えば２ページ分のプレビュー画像Ｇ３１，Ｇ３２が含まれており、承認者はジョブ確認画面Ｇ３０に対する操作を行うことで前ページ分のプレビュー画像を確認することができる。すなわち、ジョブ確認画面Ｇ３０では、プレビュー対象となるページを移動させるためのボタンＢ３０，Ｂ３１と、各プレビュー画像Ｇ３１，Ｇ３２を削除するための削除ボタンＢ３２，Ｂ３３と、各プレビュー画像Ｇ３１，Ｇ３２の間に画像を挿入することを指示する挿入ボタンＢ３４と、各プレビュー画像Ｇ３１，Ｇ３２の間に端末装置５で保持されている画像を挿入することを指示する端末画像挿入ボタンＢ３５と、次の確認作業へ進むためのボタンＢ３６と、スライドタブＢ１３とが表示される。図１０（ａ）に示すようなジョブ確認画面Ｇ３０が表示されているとき、承認者が例えば挿入ボタンＢ３４を操作すると、その座標情報を含む操作情報が画像処理装置４に送信され、画像処理装置４に登録されている画像データのリスト画面を画像処理装置４から取得して表示することができる。そのため、承認者は、画像処理装置４に登録されている画像データの中から２つのプレビュー画像Ｇ３１，Ｇ３２の間に挿入すべき画像を選択して追加することができる。また承認者が例えば端末画像挿入ボタンＢ３５を操作すると、それに対応する操作情報が画像処理装置４へ送信され、画像処理装置４からローカル画面の表示を指示するコマンドを受信する。そして端末装置５は、図１０（ｂ）に示すように、端末装置５に記憶されている画像データ３８のリストを表示するためのローカル画面Ｇ３３を表示部３３に表示させる。このようなローカル画面Ｇ３３が表示されることにより、承認者は、画像処理装置４において登録されていない画像であっても、端末装置５に登録されている画像を選択して２つのプレビュー画像Ｇ３１，Ｇ３２の間に挿入することができる。
【００８２】
次に図１１は、端末装置５の連携アプリケーション５２によって表示部３３に表示される第４のジョブ確認画面Ｇ４０の一例を示す図である。このジョブ確認画面Ｇ４０は、承認者が画像データ４６の送信を承認するための承認操作を行う画面である。承認操作を行うジョブ確認画面Ｇ４０には、図１１（ａ），（ｂ）に示すように２つのタイプの画面があり、いずれのタイプの画面を表示するかは、画像処理装置４において予め設定されているものとする。
【００８３】
図１１（ａ）に示すジョブ確認画面Ｇ４０は、承認者が画像データ４６の送信を許可する際に、画像処理装置４に予め登録されている承認用パスワード２５を入力して承認操作を行うための画面である。このジョブ確認画面Ｇ４０では、承認用パスワード２５を入力するためのパスワード入力欄Ｂ４０と、承認作業を中止するためのキャンセルボタンＢ４１と、承認操作を完了させるＯＫボタンＢ４２と、スライドタブＢ１３とが表示される。例えば、承認者が承認用パスワード２５を入力するためのパスワード入力欄Ｂ４０をタップ操作すると、その座標情報を含む操作情報が画像処理装置４へ送信される。そして画像処理装置４は、パスワード入力欄Ｂ４０が操作されたことを検知し、テキスト入力操作を行うためのキーボード画面をローカル画面として表示させるためのコマンドを端末装置５に送信する。これにより、端末装置５は、キーボード画面を表示し、承認者によるパスワード入力を受け付ける。承認者によって入力されるパスワードは、画像処理装置４へ送信され、画像処理装置４によってジョブ確認画面Ｇ４０が逐次更新される。そして承認者がＯＫボタンＢ４２を操作すると、それに対応する操作情報が画像処理装置４へ送信される。またジョブ確認画面Ｇ４０において承認者がキャンセルボタンＢ４１を操作すると、それに対応する操作情報が画像処理装置４へ送信され、画像メモリ１７に格納されている画像データ４６が破棄される。
【００８４】
図１１（ｂ）に示すジョブ確認画面Ｇ４０は、承認者が画像データ４６の送信を許可する際に、自身のユーザーＩＤとパスワードとを入力して承認操作を行うための画面である。このジョブ確認画面Ｇ４０では、ユーザーＩＤを入力するためのユーザーＩＤ入力欄Ｂ４３と、パスワードを入力するためのパスワード入力欄Ｂ４４と、承認作業を中止するためのキャンセルボタンＢ４１と、承認操作を完了させるＯＫボタンＢ４２と、スライドタブＢ１３とが表示される。例えば、承認者がユーザーＩＤやパスワードを入力するための入力欄Ｂ４３，Ｂ４４をタップ操作すると、その座標情報を含む操作情報が画像処理装置４へ送信される。そして画像処理装置４は、ユーザーＩＤ入力欄Ｂ４３又はパスワード入力欄Ｂ４４が操作されたことを検知し、テキスト入力操作を行うためのキーボード画面をローカル画面として表示させるためのコマンドを端末装置５に送信する。これにより、端末装置５は、キーボード画面を表示し、承認者によるユーザーＩＤやパスワードの入力を受け付ける。承認者によって入力されるユーザーＩＤやパスワードは、その都度、画像処理装置４へ送信され、画像処理装置４によってジョブ確認画面Ｇ４０が逐次更新される。そして承認者がＯＫボタンＢ４２を操作すると、それに対応する操作情報が画像処理装置４へ送信される。またジョブ確認画面Ｇ４０において承認者がキャンセルボタンＢ４１を操作すると、それに対応する操作情報が画像処理装置４へ送信され、画像メモリ１７に格納されている画像データ４６が破棄される。
【００８５】
次に画像処理装置４において行われる具体的な処理手順の一例について説明する。図１２は、画像処理装置４において行われる処理手順の一例を示すフローチャートである。この処理は、画像処理装置４のＣＰＵ１０ａがプログラム２２を実行することによって行われる処理である。画像処理装置４は、この処理を開始すると、まずユーザー（送信者）が操作パネル１４に対して入力するユーザーＩＤ及びパスワードに基づきユーザー認証を行う（ステップＳ１０）。このユーザー認証は、上述したユーザー認証部４１によって行われる。このユーザー認証に成功すると、画像処理装置４は、ジョブ設定部４２を機能させ、ユーザー（送信者）によるジョブの設定操作を受け付け、画像データを外部に送信するジョブを設定する（ステップＳ１２）。これにより、画像処理装置４において設定情報２９が生成される。その後、ユーザーがジョブ実行指示を行うと（ステップＳ１３でＹＥＳ）、画像処理装置４は、画像読取制御部４３を機能させ、ユーザーによって指定された画像読取設定を反映させ（ステップＳ１４）、１枚ずつの原稿から画像を読み取る動作を行う（ステップＳ１５）。そして画像処理装置４は、原稿を読み取って生成した画像データ４６を画像メモリ１７に一時的に保存する（ステップＳ１６）。
【００８６】
原稿の読み取り動作が終了し、画像データ４６が画像メモリ１７に保存されると、画像処理装置４は、承認処理部４４を機能させる。そして画像処理装置４は、端末装置選択処理を行う（ステップＳ１７）。この端末装置選択処理は、起動コマンドの送信対象となる１台の端末装置５を選択する処理である。
【００８７】
図１３は、端末装置選択処理（ステップＳ１７）の詳細な処理手順の一例を示すフローチャートである。画像処理装置４は、この処理を開始すると、１台の端末装置５と無線による１対１の接続状態７を確立して通信を行うことが可能な状態であるか否かを判断する（ステップＳ３０）。その結果、既に１台の端末装置５と１対１の接続状態７を確立して通信可能な状態であれば（ステップＳ３０でＹＥＳ）、画像処理装置４は、その接続状態７を確立している１台の端末装置５を起動コマンドの送信対象として選択する（ステップＳ３１）。一方、１対１の接続状態７を確立している端末装置５が存在しない場合（ステップＳ３０でＮＯ）、画像処理装置４は、端末装置選択画面を操作パネル１４の表示部１４ａに表示する（ステップＳ３２）。
【００８８】
図１４は、操作パネル１４の表示部１４ａに表示される端末装置選択画面の一例を示す図である。この画面では、起動コマンドの送信対象となる端末装置５をマニュアル操作で指定するためのボタンＢ５０と、画像処理装置４に予め登録されている端末装置５を選択するためのボタンＢ５０とが表示される。ユーザー（送信者）は、自身で起動コマンドの送信対象となる端末装置５を指定する場合にはボタンＢ５０を操作すれば良く、また画像処理装置４に登録されている端末装置５に起動コマンドを送信する場合にはボタンＢ５１を操作すれば良い。
【００８９】
画像処理装置４は、端末装置選択画面を表示すると、ユーザー（送信者）による操作を受け付け（ステップＳ３３）、起動コマンドの送信対象となる端末装置５をユーザー（送信者）が指定するか否かを判断する（ステップＳ３４）。つまり、ユーザー（送信者）がボタンＢ５０を操作すると、ステップＳ３４においてＹＥＳと判断される。ユーザー（送信者）が自身で端末装置５を指定することを選択した場合（ステップＳ３４でＹＥＳ）、画像処理装置４は、ユーザー（送信者）による端末装置５の指定操作を受け付け（ステップＳ３５）、指定された端末装置５を起動コマンドの送信対象として選択する（ステップＳ３６）。
【００９０】
またユーザー（送信者）がボタンＢ５１を操作することにより、画像処理装置４に登録されている端末装置５に起動コマンドを送信することを指定した場合（ステップＳ３４でＮＯ）、画像処理装置４は、記憶装置１１から端末登録情報２４を読み出し（ステップＳ３７）、端末登録情報２４に登録されている端末装置５を起動コマンドの送信対象として選択する（ステップＳ３８）。尚、端末登録情報２４に複数の端末装置５が登録されている場合、それら複数の端末装置５のリストを操作パネル１４に表示し、ユーザー（送信者）に１台の端末装置５を選択させるようにしても良い。
【００９１】
図１２のフローチャートに戻り、画像処理装置４は、端末装置選択処理（ステップＳ１７）によって１台の端末装置５が起動コマンドの送信対象として選択されると、その選択された端末装置５に対して連携アプリケーション５２を起動させるための起動コマンドを送信する（ステップＳ１８）。その後、画像処理装置４は、設定情報２９及び画像メモリ１７に格納された画像データ４６に基づいてジョブ確認画面を生成し、ジョブ確認画面を端末装置５へ送信する（ステップＳ１９）。これに伴い、画像処理装置４は、操作パネル１４の機能を停止させ、画像処理装置４に対するユーザーインタフェースとしての機能を端末装置５へ移行させる。
【００９２】
画像処理装置４は、ジョブ確認画面を端末装置５へ送信した後、端末装置５から操作情報の受信を待機する状態となる（ステップＳ２０）。そして端末装置５から操作情報を受信すると（ステップＳ２０でＹＥＳ）、操作情報判定処理を行う（ステップＳ２１）。この操作情報判定処理（ステップＳ２１）では、ユーザー（承認者）によって行われた操作が承認操作であるか否かなどが判定される。
【００９３】
図１５は、操作情報判定処理（ステップＳ２１）の詳細な処理手順の一例を示す図である。画像処理装置４は、この処理を開始すると、操作情報に含まれる座標情報に基づいてジョブ確認画面に対する操作位置を判別し（ステップＳ４０）、その操作位置に基づいて承認者による操作を検知する（ステップＳ４１）。これにより、承認操作やキャンセル操作、その他宛先追加などの操作が検知される。そして画像処理装置４は、承認者によって行われた操作が承認操作であるか否かを判断し（ステップＳ４２）、承認操作であれば（ステップＳ４２でＹＥＳ）、承認用パスワードを受信したか否かを判断する（ステップＳ４３）。その結果、端末装置５から承認用パスワードを受信していれば（ステップＳ４３でＹＥＳ）、記憶装置１１から承認用パスワード２５を読み出し、それらが一致するか否かを判断し（ステップＳ４５）、一致していれば（ステップＳ４５でＹＥＳ）、画像データ４６の送信を許可する設定を行う（ステップＳ４６）。これに対し、２つのパスワードが互いに一致しなかった場合には（ステップＳ４５でＮＯ）、送信不可設定を行う（ステップＳ５０）。
【００９４】
また承認者によって行われた操作が承認操作であり、承認用パスワードを受信していない場合には（ステップＳ４３でＮＯ）、承認者のユーザーＩＤとパスワードとを受信していることになる。この場合、画像処理装置４は、ユーザー認証部４１を機能させ、ユーザー情報２３を読み出してユーザー認証を行う（ステップＳ４７）。その結果、承認者のユーザー認証に成功すると（ステップＳ４８でＹＥＳ）、画像処理装置４は、画像データ４６の送信を許可する設定を行う（ステップＳ４６）。これに対し、承認者のユーザー認証に失敗すると（ステップＳ４８でＮＯ）、画像処理装置４は、送信不可設定を行う（ステップＳ５０）。
【００９５】
また承認者によって行われた操作が承認操作でなかった場合（ステップＳ４２でＮＯ）、画像処理装置４は、承認者によって行われた操作がキャンセル操作であるか否かを判断し（ステップＳ４９）、キャンセル操作であれば（ステップＳ４９でＹＥＳ）、送信不可設定を行う（ステップＳ５０）。尚、承認者によって行われた操作が承認操作及びキャンセル操作のいずれでもない場合には（ステップＳ４９でＮＯ）、そのまま操作情報判定処理を終了する。
【００９６】
再び図１２のフローチャートに戻り、画像処理装置４は、操作情報判定処理（ステップＳ２１）が終了すると、画像データ４６の送信許可設定がなされているか否かを判断し（ステップＳ２２）、送信許可設定がなされていれば（ステップＳ２２でＹＥＳ）、画像メモリ１７から画像データ４６を読み出す（ステップＳ２３）。そして設定情報２９に基づいて画像データ４６の送信先として指定された宛先を反映し（ステップＳ２４）、画像送信部２０を介して画像データ４６を外部へ送信する（ステップＳ２５）。このとき、画像編集部４４６が機能して日付やページ、スタンプ画像などの情報が画像データ４６に付加されるようにしても良い。一方、送信許可設定ではなく（ステップＳ２２でＮＯ）、送信不可設定がなされている場合（ステップＳ２６でＹＥＳ）、画像処理装置４は、画像メモリ１７に格納されている画像データ４６を消去し、送信者によって登録されたジョブを破棄する（ステップＳ２７）。尚、画像処理装置４においてステップＳ２５又はＳ２７の処理が行われると、画像処理装置４は、端末装置５に対して連携アプリケーション５２の終了コマンドを送信して処理を終了する。また承認者によって行われた操作が承認操作及びキャンセル操作のいずれでもない場合には（ステップＳ２６でＮＯ）、ジョブ設定変更処理が行われる（ステップＳ２８）。
【００９７】
図１６は、ジョブ設定変更処理（ステップＳ２８）の詳細な処理手順の一例を示すフローチャートである。画像処理装置４は、この処理を開始すると、まず承認者によって行われた操作が画像データ４６の送信先を変更する操作であるか否かを判断し（ステップＳ６０）、送信先を変更する操作であれば（ステップＳ６０でＹＥＳ）、宛先編集部４４５による宛先編集処理を実行する（ステップＳ６１）。これにより、設定情報２９において画像データ４６の送信先として設定されている宛先情報が更新される。尚、承認者による操作が画像データ４６の送信先を変更する操作でなかった場合には、ステップＳ６１の処理はスキップする。
【００９８】
続いて画像処理装置４は、承認者によって行われた操作が画像データ４６の編集を指示する操作であるか否かを判断し（ステップＳ６２）、画像データ４６の編集を指示する操作であれば（ステップＳ６２でＹＥＳ）、画像編集部４４６による画像編集処理を実行する（ステップＳ６３）。これにより、画像メモリ１７に格納されている画像データ４６が更新される。尚、承認者による操作が画像データ４６の編集を指示する操作でなかった場合には、ステップＳ６３の処理はスキップする。
【００９９】
続いて画像処理装置４は、承認者によって行われた操作が日付やページ、スタンプ画像などの付加設定を変更する設定情報２９の変更操作であるか否かを判断し（ステップＳ６４）、設定情報２９の変更操作であれば（ステップＳ６４でＹＥＳ）、ジョブ設定部４２を再び機能させ、設定情報２９を更新する設定情報更新処理を実行する（ステップＳ６５）。これにより、画像編集部４４６が機能し、画像データ４６に対して日付やページ、スタンプ画像などが付加される。尚、承認者による操作が設定情報２９の変更操作でなかった場合には、ステップＳ６５の処理はスキップする。
【０１００】
続いて画像処理装置４は、ジョブ確認画面を更新する必要が生じたか否かを判断し（ステップＳ６６）、ジョブ確認画面の更新が必要であれば（ステップＳ６６でＹＥＳ）、ジョブ確認画面を更新し（ステップＳ６７）、更新後の新たなジョブ確認画面を端末装置５へ送信する（ステップＳ６８）。尚、ジョブ確認画面の更新が不要の場合には、ステップＳ６７，Ｓ６８の処理はスキップする。
【０１０１】
続いて画像処理装置４は、承認者によって行われた操作がジョブ確認画面を端末装置５と画像処理装置４とで共有して表示する画面共有操作であるか否かを判断し（ステップＳ６９）、画面共有操作であれば（ステップＳ６９でＹＥＳ）、操作パネル１４をオンにして画面表示機能を稼働させる（ステップＳ７０）。そして画像処理装置４は、端末装置５において現在表示中であるジョブ確認画面を操作パネル１４に出力し、表示部１４ａに表示させる（ステップＳ７１）。これにより、端末装置５において表示されるジョブ確認画面と同じ内容のジョブ確認画面が操作パネル１４の表示部１４ａに表示されるようになり、ユーザー（送信者）が操作手順などを習得することができるようになる。
【０１０２】
このようなジョブ設定変更処理が終了すると、図１２に示したステップＳ２０の処理に戻り、上述した処理が繰り返される。
【０１０３】
次に端末装置５において行われる具体的な処理手順の一例について説明する。図１７は、端末装置５において行われる処理手順の一例を示すフローチャートである。この処理は、端末装置５のＣＰＵ３０ａによって行われる処理である。端末装置５は、この処理を開始すると、まず画像処理装置４から起動コマンドを受信したか否かを判断する（ステップＳ１００）。起動コマンドを受信した場合（ステップＳ１００でＹＥＳ）、端末装置５は、アプリケーションプログラム３７を読み出して実行することにより、連携アプリケーション５２を起動させる（ステップＳ１０１）。その後、端末装置５は、画像処理装置４からジョブ確認画面を受信するまで待機し（ステップＳ１０２）、ジョブ確認画面を受信すると（ステップＳ１０２でＹＥＳ）、表示部３３にジョブ確認画面を表示する（ステップＳ１０３）。そしてユーザー（承認者）による操作を検知するまで待機し（ステップＳ１０４）、操作を検知すると（ステップＳ１０４でＹＥＳ）、端末装置５は、表示部３３の表示画面内における操作位置を検知する（ステップＳ１０５）。
【０１０４】
続いて端末装置５は、現在、ローカル画面の表示中であるか否かを判断し（ステップＳ１０６）、ローカル画面の表示中であれば（ステップＳ１０６でＹＥＳ）、承認者によって行われた操作がローカル画面に対する操作であるか否かを判断する（ステップＳ１０７）。ここでは、ステップＳ１０５で検知された操作位置と、ローカル画面の表示位置とに基づく判断が行われる。端末装置５がローカル画面の表示中でない場合（ステップＳ１０６でＮＯ）、或いは、ローカル画面の表示中であっても、承認者による操作がローカル画面とは異なる領域に対してなされた操作である場合（ステップＳ１０７でＮＯ）、端末装置５は、ジョブ確認画面に対する操作であると判断する。この場合、端末装置５は、ステップＳ１０５で検知された操作位置を座標変換して画像処理装置４の操作パネル１４に対応した座標情報を生成し（ステップＳ１０８）、その座標情報を含む操作情報を生成する（ステップＳ１０９）。そして端末装置５は、操作情報を画像処理装置４へ送信する。
【０１０５】
一方、承認者による操作がローカル画面に対する操作であった場合（ステップＳ１０７でＹＥＳ）、端末装置５は、承認者による操作に基づいてローカル画面の表示状態を更新し（ステップＳ１１１）、操作情報を画像処理装置４へ送信するか否かを判断する（ステップＳ１１２）。例えば、承認者による操作がローカル画面に対する操作を完了させる操作であれば、それに伴う操作情報（例えば承認者によって選択された宛先情報や画像データなど）を画像処理装置４へ送信する必要があるため、ステップＳ１１２ではＹＥＳと判断される。そして端末装置５は、操作情報を画像処理装置へ送信する（ステップＳ１１３）。尚、操作情報を画像処理装置４へ送信する必要がない場合（ステップＳ１１２でＮＯ）、ステップＳ１１３の処理はスキップする。例えば端末装置５に記憶されている宛先情報３９の詳細な情報を表示させる操作などの場合には、端末装置５において処理可能であるため、そのような操作情報は画像処理装置４に送信されない。続いて端末装置５は、ローカル画面を消去するか否かを判断する（ステップＳ１１４）。例えば、承認者による操作がローカル画面に対する操作を完了させる操作であれば、ローカル画面を継続的に表示させる必要がないため、ステップＳ１１４でＹＥＳと判断される。この場合、端末装置５は、ローカル画面を表示部３３の画面上から消去する（ステップＳ１１５）。これにより、端末装置５の表示部３３は、ジョブ確認画面だけを表示した状態に戻る。尚、ローカル画面の表示状態が継続する場合（ステップＳ１１４でＮＯ）、ステップＳ１１５の処理はスキップする。
【０１０６】
続いて端末装置５は、画像処理装置４から終了コマンドを受信したか否かを判断し（ステップＳ１１６）、終了コマンドを受信すれば（ステップＳ１１６でＹＥＳ）、連携アプリケーション５２の起動を終了する（ステップＳ１１７）。一方、終了コマンドを受信していない場合（ステップＳ１１６でＮＯ）、端末装置５は、ローカル画面の表示コマンドを受信したか否かを判断し（ステップＳ１１８）、表示コマンドを受信していれば（ステップＳ１１８でＹＥＳ）、画像処理装置４から指定されたローカル画面を表示部３３に表示させる（ステップＳ１１９）。このとき表示されるローカル画面は、例えばジョブ確認画面の前面側に表示される。その後、端末装置５による処理はステップＳ１０４へと戻る。
【０１０７】
またローカル画面の表示コマンドを受信していない場合（ステップＳ１１８でＮＯ）、端末装置５は、画像処理装置４から新たなジョブ確認画面を受信したか否かを判断する（ステップＳ１２０）。その結果、新たなジョブ確認画面を受信している場合には（ステップＳ１２０でＹＥＳ）、その新たなジョブ確認画面を表示部３３に出力してジョブ確認画面の表示内容を更新する（ステップＳ１２１）。その後、端末装置５による処理はステップＳ１０４へと戻る。また画像処理装置４から新たなジョブ確認画面を受信していない場合にも、その後の処理はステップＳ１０４へと戻る。そして上述した処理を繰り返す。
【０１０８】
以上のように本実施形態の画像送信システム１は、画像処理装置４がユーザー（送信者）の入力操作を受け付け、原稿の画像を読み取って生成する画像データを外部に送信するジョブの設定を行う。そしてユーザー（送信者）の指示操作に基づいて原稿の画像を読み取って画像データ４６を生成すると、その画像データ４６を画像メモリ１７に一時的に記憶させる。画像メモリ１７に画像データ４６が記憶されることに伴い、画像処理装置４は、端末装置５に対して連携アプリケーション５２の起動コマンドを送信し、起動コマンドの送信後、ジョブの設定を確認するためのジョブ確認画面を生成して端末装置５に送信する。一方、端末装置５は、起動コマンドを受信することに伴い、連携アプリケーション５２を起動させ、連携アプリケーション５２が画像処理装置４からジョブ確認画面を受信することに伴い、そのジョブ確認画面を表示部３３に表示させる。したがって、画像処理装置４において外部への送信対象となる画像データ４６が保存されると、端末装置５が直ぐに連携アプリケーション５２を起動してジョブ確認画面をリアルタイムで表示部３３に表示させることが可能である。それ故、承認者は承認作業を速やかに開始することができるようになり、作業効率が向上する。
【０１０９】
また画像処理装置４は、タブレット端末などの携帯型の情報処理端末５ａに対してもジョブ確認画面を送信することができるので、ユーザー（送信者）はジョブ確認画面の表示された情報処理端末５ａを承認者が居る場所まで持参していくことで速やかに承認者による承認操作を受けることができ、承認者の移動負担なども軽減されるという利点がある。
【０１１０】
尚、上記においては、本発明に関する一実施形態について説明したが、本発明は、上記実施形態において説明した内容のものに限られるものではなく、種々の変形例が適用可能であることは勿論である。
【０１１１】
例えば、上記においては、ＦＡＸで画像データを外部に送信する場合を例示したが、外部への画像データの送信はＦＡＸによるものに限られない。例えば電子メールで外部に画像データを送信する際にも、上記実施形態で説明した、承認者による承認を受ける技術を適用することが可能であることは言うまでもない。
【符号の説明】
【０１１２】
１  画像送信システム
４  画像処理装置
５  端末装置
１４  操作パネル
１４ａ  表示部（表示手段）
１４ｂ  操作入力部（操作入力手段）
１６  画像読取部（画像読取手段）
１７  画像メモリ（画像記憶手段）
２０  画像送信部（画像送信手段）
４１  ユーザー認証部（認証手段）
４２  ジョブ設定部（設定手段）
５１  アプリケーション起動部（アプリケーション起動手段）
５２  連携アプリケーション（アプリケーション）
５３  表示制御部（表示制御手段）
５４  操作情報生成部（操作情報生成手段）
５５  操作情報送信部（操作情報送信手段）
４４１  起動コマンド送信部（起動コマンド送信手段）
４４２  画面送信部（画面送信手段）
４４３  操作情報受信部（操作情報受信手段）
４４４  操作情報判定部（操作情報判定手段）
４４５  宛先編集部（宛先編集手段）
４４６  画像編集部（画像編集手段）
【図１】
2016127559.tif 000003
【図２】
2016127559.tif 000004
【図３】
2016127559.tif 000005
【図４】
2016127559.tif 000006
【図５】
2016127559.tif 000007
【図６】
2016127559.tif 000008
【図７】
2016127559.tif 000009
【図８】
2016127559.tif 000010
【図９】
2016127559.tif 000011
【図１０】
2016127559.tif 000012
【図１１】
2016127559.tif 000013
【図１２】
2016127559.tif 000014
【図１３】
2016127559.tif 000015
【図１４】
2016127559.tif 000016
【図１５】
2016127559.tif 000017
【図１６】
2016127559.tif 000018
【図１７】
2016127559.tif 000019